(57)【要約】【課題】充填された飲食品の内容、メーカー、販売店等と無関係の器物を当該包装容器の一部又は全体に被着し、顧客に強い関心を持たせて購買意欲を喚起させることが可能な、宣伝広告媒体を提供すること。【解決手段】充填された商品の内容、メーカー、販売店等と無関係の器物であり、当該器物は商品が充填された包装容器の一部又は全体を被着可能とし、かつ着脱手段を備えている。【選択図】図１
2012133300.tif 000002
【特許請求の範囲】
【請求項１】
充填された商品の内容、メーカー、販売店等と無関係の器物であり、
当該器物は商品が充填された包装容器の一部又は全体を被着可能とし、かつ着脱手段を備えている、
ことを特徴とする宣伝広告媒体。
【請求項２】
前記着脱手段は、伸縮性を有する器物本体の素材、紐体又は板状体である、
ことを特徴とする請求項１に記載の宣伝広告媒体。
【請求項３】
前記器物は、屋内又は屋外で使用する日用品であり、包装容器の一部又は全体を被着可能な実物の約１／２〜１／４のミニチュアサイズである、
ことを特徴とする請求項１〜請求項２の何れかに記載の宣伝広告媒体。
【請求項４】
前記器物の素材が、布帛、不織布、合成樹脂材、紙材又は合成皮革である、
ことを特徴とする請求項１〜請求項３のいずれかに記載の宣伝広告媒体。
【請求項５】
前記請求項１〜請求項４のいずれかに記載の宣伝広告媒体を容器本体の首部又は本体全体を被着してなる、
ことを特徴とする宣伝広告媒体付き包装容器。
【発明の詳細な説明】
【技術分野】
【０００１】本発明は、宣伝広告媒体及び宣伝広告媒体付き包装容器に係り、より詳しくは、デパート、スーパーマーケット、コンビニエンスストア又は雑貨店等で販売される各種飲食物を充填した包装容器の一部又は全体に被着し、顧客に強い関心を持たせて購買意欲を喚起させることが可能な、宣伝広告媒体とこれを用いた包装容器に関する。
【背景技術】
【０００２】従来から、プリン、ゼリー又はヨーグルト等の乳製品、清涼飲料水、お茶、ジュース、その他の調味料等はプラスチック、アルミニウム、スチール又はガラス等を素材にして製作された小容器に充填されて販売されている。上記の商品は、多数のメーカーが多様の種類を販売しており、個人の好みによる好き嫌いはあるが、本質的な味などにおいては各社の製品とも大差がなく、他社製品との差異をアッピールしても販売促進につながらないのが現状である。【０００３】そのため、各メーカーは、キャンペーンを行い、そのキャンペーン期間中に商品を購入すると、容器に付設した景品が貰えるサービスを行ったり、ポイント付与システム等を採用することにより顧客の購買意欲を喚起して、販売促進を図っている。【０００４】各種商品の販売促進を目的とし、顧客が商品を購入すると、容器に付設した景品等が貰える容器等について、多くの提案がなされている。例えば、特許文献１（第１頁、図１参照）の「首掛け表示具」は、需要者の注意を喚起し、より高い宣伝広告効果が期待できる首掛け表示具を提供することを課題とし、その解決手段は、景品等の被保持体が保持される保持片部と、前記保持片部の一側に設けられ、且つ容器の首部に挿入可能な首掛け用孔が形成された掛止片部とを具備する首掛け表示具であって、前記保持片部の一側には、貼着片部が首掛け用孔内側へ臨出して設けられ、前記貼着片部には、貼着片部の面積よりも広い面積のラベルが貼着されたことを特徴としている。【０００５】特許文献２（第１頁、図４参照）の「ボトル用景品収納包装容器」は、小玩具やキャラクターフィギュアなどの立体的な景品類を収納容器に入れることができ、収納した状態においては損傷することがなく、ボトルに装着した時に外観の体裁が良好で、ボトルに施された表示部を隠すことがないボトル用景品収納包装容器の提供を課題とし、その解決手段は、飲料など充填されたボトルの口部に螺合するキャップに被着する短筒状のキャップ本体と景品収納容器は底体と蓋体とからなり連結片で連設されている。蓋体を折り返して蓋体の開口部と底体の開口部を腹合せとし、係合部の係脱により蓋体を開閉自在にすることを特徴としている。【０００６】また、特許文献３（第１頁、図２参照）の「複数の缶容器を携行可能な小物収容部付きキャップ体」は、飲料等を充填した２〜４本の缶容器の上周縁巻締め鍔部を同時に連結、結束して携行とスタッキングを可能とし、各種の袋入り景品又はおつまみ等の小物収容部付き缶容器のキャップ体を提供することを課題とし、その解決手段は、ほぼ瓢箪状に形成され、その下端内周壁には環状の保持溝、係止部、テーパー面を形成し、上面周縁部には立上り部を立設し、缶容器の鍔部の半周以上を嵌合、係止し、キャップ体の中央内側には、下方を開口した小物収容部を設け、把持部は、缶容器の接合部に向って形成した円弧状の外周壁で、これに対応するキャップ体の内壁と小物収容部の近接部位に、リブを設けたことを特徴としている。
【先行技術文献】
【特許文献】
【０００７】
【特許文献１】特開２０００−０２５８３２号公報
【特許文献２】実用新案登録第３１０８３００号公報
【特許文献３】実用新案登録第３１０６７２６号公報
【発明の概要】
【発明が解決しようとする課題】
【０００８】上記特許文献１〜特許文献３は、付設された景品によって、顧客の購買意欲を喚起し、一時的に販売促進に寄与するが、同種商品を製造するメーカー等により模倣されやすく、大きな販売実績につながらないという問題点がある。また景品プレゼントによる宣伝広告は、従来より各商品について行われており、新規性がないために、宣伝広告の効果としてはインパクトに欠けるものである。【０００９】本願発明者は、上記従来技術の問題点、広告業界の現状に鑑み、鋭意研究を重ねた結果、本願発明を完成したものである。
そこで、本願発明が解決しようとする課題は、以下の通りである。すなわち、
第１の課題は、充填された飲食品の内容、メーカー、販売店等と無関係の器物を当該包装容器の一部又は全体に被着し、顧客に強い関心を持たせると共に、同種他社商品より品質等が優れていることを強調し、購買意欲を喚起させることが可能な、宣伝広告媒体を提供することである。
第２の課題は、使用後の宣伝広告媒体は、ルームアクセサリー又は携帯電話、バッグ、袋物等携行品のアクセサリーとして再利用可能な宣伝広告媒体付き包装容器を提供することである。
【課題を解決するための手段】
【００１０】上記の課題を解決するための第１の発明は、請求項１に記載の発明であり、
充填された商品の内容、メーカー、販売店等と無関係の器物であり、当該器物は商品が充填された包装容器の一部又は全体を被着可能とし、かつ着脱手段を備えている、ことを特徴としている。【００１１】上記の課題を解決するための第２の発明は、請求項２に記載の発明であり、
前記着脱手段は、伸縮性を有する器物本体の素材、紐体又は板状体である、ことを特徴としている。【００１２】上記の課題を解決するための第３の発明は、請求項３に記載の発明であり、
前記器物は、屋内又は屋外で使用する日用品であり、包装容器の一部又は全体を被着可能な実物の約１／２〜１／４のミニチュアサイズである、ことを特徴としている。【００１３】上記の課題を解決するための第４の発明は、請求項４に記載の発明であり、
前記器物の素材が、布帛、不織布、合成樹脂材、紙材又は合成皮革である、ことを特徴としている。【００１４】上記の課題を解決するための第５の発明は、請求項５に記載の発明であり、
前記請求項１〜請求項４のいずれかに記載の宣伝広告媒体を容器本体の首部又は本体全体を被着してなる、宣伝広告媒体付き包装容器である。
【発明の効果】
【００１５】  本発明に係る、宣伝広告媒体及び宣伝広告媒体付き包装容器は、上記のような特徴的構成要件から構成され、特徴的構成要件に応じた以下のような本願発明特有の効果を奏する。また、上記のような特徴的構成要件から構成された宣伝広告媒体及び宣伝広告媒体付き包装容器によれば、本願発明の課題を充分解決することができた。
すなわち、第１の発明によれば、「充填された商品の内容、メーカー、販売店等と無関係の器物であり、当該器物は商品が充填された包装容器の一部又は全体を被着可能とし、かつ着脱手段を備えている」という、特徴的構成要件により、
また、第２の発明によれば、「前記着脱手段は、伸縮性を有する器物本体の素材、紐体又は板状体である」という、特徴的構成要件により、
また、第３の発明によれば、「前記器物は、屋内又は屋外で使用する日用品であり、包装容器の一部又は全体を被着可能な実物の約１／２〜１／４のミニチュアサイズである」という、特徴的構成要件により、
さらに、第４の発明によれば、「前記器物の素材が、布帛、不織布、合成樹脂材、紙材又は合成皮革である」という、特徴的構成要件により、
充填された飲食品の内容、メーカー、販売店等と無関係の器物を当該包装容器の一部又は全体に被着し、顧客に強い関心を持たせて購買意欲を喚起させることが可能な、宣伝広告媒体の提供という、第１の課題を解決することができた。すなわち、スーパーマーケット又はコンビニエンスストア等の店頭で、顧客は購買予定の商品であるか否かでなく、飲食品の内容、メーカー、販売店等と無関係の器物である宣伝広告媒体を見れば、「これはいったい何？」、「可愛い！」又は「面白い！」と感嘆し、当該商品を手に取って購買意欲を喚起させることができる。【００１６】第５の発明によれば、「前記請求項１〜請求項４のいずれかに記載の宣伝広告媒体を容器本体の首部又は本体全体を被着してなる、宣伝広告媒体付き包装容器である」という、特徴的構成要件により、
使用後の宣伝広告媒体は、ルームアクセサリー又は携帯電話、バッグ、袋物等携行品のアクセサリーとして転用可能な宣伝広告媒体付き包装容器の提供という、第２の課題を解決することができた。
【図面の簡単な説明】
【００１７】
【図１】は、本発明に係る、宣伝広告媒体及び宣伝広告媒体付き包装容器における、宣伝広告媒体の実施形態を示し、（ａ）は三角形状帽子の斜視図、（ｂ）は同底面図、（ｃ）は図１（ａ）におけるＣ−Ｃ断面図である。
【図２】は、宣伝広告媒体であるコック用帽子の斜視図である。
【図３】は、宣伝広告媒体である野球帽の一部切欠斜視図である。
【図４】は、宣伝広告媒体であるバイク用ヘルメットの正面図である。
【図５】は、宣伝広告媒体の三角形状帽子をプリン容器に被着した状態を示す斜視図である。
【図６】は、宣伝広告媒体であるコック用帽子をガラス容器に被着した状態を示す一部切欠斜視図である。
【図７】（ａ）は、宣伝広告媒体の三角形状帽子をバッグに装着した状態の斜視図、（ｂ）は、同ぬいぐるみに装着してアクセサリーとした斜視図、（ｃ）は、同コップの上部に被着した状態を示す斜視図である。
【発明を実施するための形態】
【００１８】図１は、本発明に係る、宣伝広告媒体である三角形状帽子１０である。三角形状帽子１０は、ゴム紐１４を除いて、布帛を素材とし、本体部１１、被着部１２、頂部飾り部１３及び着脱手段であるゴム紐１４から構成されている。本体部１１の下端部は、ゴム紐１４を被包するように被着部１２の上部で縫着１５されている。１６は蝶ネクタイを模している。Ｈ１は、頂部飾り部１３と被着部１２の底部１２ａとの高さ寸法で、約１３５ｍｍ〜１４０ｍｍである。また図１（ｃ）に示すように、被着部１２の底部１２ａは、ゴム紐１４を被包するように被着部１２の上部で縫着１５され絞りこまれ、着脱手段となっている。
【００１９】図２は、コック用帽子の約１／３としたミニチュアサイズの宣伝広告媒体２０で、不織布を素材とし、下方周縁２１は上方に折り返されて被着部２２を構成している。宣伝広告媒体２０は、素材である不織布の弾力性を活用し、図６に示すように、ガラス容器Ｇに被着して使用することができる。
【００２０】図３は、宣伝広告媒体である野球帽３０を示している。素材は布帛で、３１は、伸縮性を有するバンドで、自立性ある包装容器の首部に被着することができ、３２は摘み兼ストラップ等の紐通し用フックである。図４は、宣伝広告媒体であるバイク用ヘルメット４０を示している。４１は、包装容器の首部に被着する被着部で自立性ある包装容器に使用される。
【００２１】図５は、宣伝広告媒体の三角形状帽子１０をプリン容器Ｐに被着した状態を示している。図示するように、三角形状帽子１０は、プリン容器Ｐの蓋体Ｐａを下方にした状態でプリン容器Ｐ全体を被包するもので、被着部１２は、蓋体Ｐａの周縁部を保持することができ、プリン購入者は、頂部飾り部１３を指先で摘まんで、商品棚等から取り出すことができる。
また図７（ａ）に示すように、プリン購入者は、プリン容器Ｐ内のプリンを食べた後、三角形状帽子１０は、市販のストラップＳを介しアクセサリーとして、ハンドバッグＢに取り付けることができる。また（ｂ）に示すように三角形状帽子１０は、ぬいぐるみＮの頭部に装着してアクセサリーとすることができる。さらに（ｃ）に示すように、コップＣの上部に被着して内部に埃が入るのを防いだり、又は中味の保温や保冷に役立てることもできる。
【００２２】図６は、宣伝広告媒体であるコック用帽子２０をガラス容器Ｇに被着した状態を示している。コック用帽子２０は不織布を素材とし、下方周縁２１は上方に折り返されて被着部２２を構成している。宣伝広告媒体２０は、素材である不織布の弾力性を活用し、図示するように、ガラス容器Ｇに被着して使用することができ、ガラス容器Ｇの内容物を飲食後は、投棄することなくアクセサリーとして活用することもできる。Ｈ２は、コック用帽子２０とガラス容器Ｇの底部までの高さ寸法である。
【符号の説明】
【００２３】１０      三角形状帽子１０
１１      本体部
１２      被着部
１３      頂部飾り部
１４      ゴム紐
１５      縫着
２０      コック用帽子
２１      下方周縁
２２      被着部
３０      野球帽
３１      バンド
３２      摘み兼紐通し用フック
４０      バイク用ヘルメット
４１      被着部
Ｇ      ガラス容器
Ｐ      プリン容器
Ｂ      ハンドバッグ
Ｎ      ぬいぐるみ
Ｃ      コップ
Ｈ１      頂部飾り部１３と被着部１２の底部１２ａとの高さ寸法
Ｈ２      コック用帽子２０とガラス容器Ｇの底部までの高さ寸法
【図１】
2012133300.tif 000003
【図２】
2012133300.tif 000004
【図３】
2012133300.tif 000005
【図４】
2012133300.tif 000006
【図５】
2012133300.tif 000007
【図６】
2012133300.tif 000008
【図７】
2012133300.tif 000009